(57)【要約】【課題】  ＰＤＴ及びＰＤＤを効率的に行うことができ、しかも、ＰＤＴ中における腫瘍組織の確認および光検出器を用いた赤色蛍光の高精度な検出も可能な光線力学診断・治療用の多波長レーザ装置を提供すること。【解決手段】  ピーク波長が395〜415nmのレーザ光Ｌ1と625〜645nmのレーザ光Ｌ2を出射可能なレーザ発振器11・12、及びこれらのレーザ光Ｌ1・Ｌ2をパルス化するためのパルス発生器14を備えたパルスレーザ光源１と；複数のレーザ光Ｌ1・Ｌ2を一箇所に導く導光光学系２と；対象物に前記レーザ光Ｌ1・Ｌ2を照射可能な光ファイバケーブル３とを含んで構成し、更に、前記パルスレーザ光源１のパルス発生器14には、ピーク波長が395〜415nmのレーザ光Ｌ1と、ピーク波長が625〜645nmのレーザ光Ｌ2とが同時に照射されないように両者のパルス波形を制御して点滅タイミングをずらすパルス制御機能を備えた。【選択図】  図１
2012232014.tif 000002
【特許請求の範囲】
【請求項１】
ピーク波長が395〜415nmのレーザ光(Ｌ1)を出射可能な第一レーザ発振器(11)、ピーク波長が625〜645nmのレーザ光(Ｌ2)を出射可能な第二レーザ発振器(12)、及びこれらのレーザ光(Ｌ1・Ｌ2)をパルス化するためのパルス発生器(14)を少なくとも備えたパルスレーザ光源(１)と；このパルスレーザ光源(１)から出射された複数のレーザ光(Ｌ1・Ｌ2)を一箇所に導く導光光学系(２)と；この導光光学系(２)の出力側に一端が固定され、この端部から入射されたレーザ光(Ｌ1・Ｌ2)を他端側の出射端部へと伝送して、出射端部が向けられた対象物に前記レーザ光(Ｌ1・Ｌ2)を照射可能な光ファイバケーブル(３)とを含んで構成され、
更に、前記パルスレーザ光源(１)のパルス発生器(14)には、ピーク波長が395〜415nmのレーザ光(Ｌ1)と、ピーク波長が625〜645nmのレーザ光(Ｌ2)とが同時に照射されないように両者のパルス波形を制御して点滅タイミングをずらすパルス制御部を備えたことを特徴とする光線力学診断・治療用の多波長レーザ装置。
【請求項２】
パルスレーザ光源(１)にピーク波長が655〜675nmのレーザ光(Ｌ3)を出射可能な第三レーザ発振器(13)を含んで構成したことを特徴とする請求項１記載の光線力学診断・治療用の多波長レーザ装置。
【請求項３】
パルスレーザ光源(１)の第三レーザ発振器(13)から出射されるレーザ光(Ｌ3)が、ピーク波長が625〜645nmのレーザ光(Ｌ2)と同じ点滅タイミングでパルス化されるようにパルス発生器(14)を設定したことを特徴とする請求項２記載の光線力学診断・治療用の多波長レーザ装置。
【請求項４】
パルスレーザ光源(１)の各レーザ発振器(11・12…)に半導体レーザ発振器を使用したことを特徴とする請求項１〜３の何れか一つに記載の光線力学診断・治療用の多波長レーザ装置。
【請求項５】
パルスレーザ光源(１)のパルス発生器(14)を、電気パルス信号を出力するパルス信号源(14a)と、このパルス信号源(14a)から受けた電気パルス信号をタイミングの異なる２種類の信号に変換して出力するパルスタイミング補正回路(14b)と、このパルスタイミング補正回路から出力された電気パルス信号とＬＤ駆動回路(15)から出力された直流電流とを重畳して各レーザ発振器(11・12…)にパルス変調電流を出力するパルス変調回路(14c)とから構成したことを特徴とする請求項４記載の光線力学診断・治療用の多波長レーザ装置。
【請求項６】
パルスレーザ光源(１)のパルス発生器(14)に連続発振から100kHzまでの繰り返し周波数の調節機能を備えたことを特徴とする請求項１〜５の何れか一つに記載の光線力学診断・治療用の多波長レーザ装置。
【発明の詳細な説明】
【技術分野】
【０００１】
本発明は、医療用レーザ装置の改良、詳しくは、光線力学診断(Photodynamic Diagnosis、以下「ＰＤＤ」と記載)と光線力学治療(Photodynamic Therapy、以下「ＰＤＴ」と記載)を効率的に行うことができ、しかも、ＰＤＴ中における腫瘍組織の確認および光検出器を用いた高精度な検出も可能な光線力学診断・治療用の多波長レーザ装置に関するものである。
【背景技術】
【０００２】
近年、悪性腫瘍の治療において、外科手術や抗ガン化学療法よりも身体への負担が少ないＰＤＴが新しい治療法として注目されている。ちなみに「ＰＤＴ」とは、腫瘍組織に集積する特性を有する光増感剤を投与し、更に腫瘍組織に集まった光増感剤に所定波長の光を照射して、光増感剤の光化学反応で腫瘍細胞を壊死させる治療法である。
【０００３】
また、上記ＰＤＴの光増感剤としては、現時点で５-アミノレブリン酸(以下、「５-ＡＬＡ」と記載)やポルフィマーナトリウム(商品名:フォトフリン)、タラポルフィンナトリウム(商品名:レザフィリン)などが主に知られており、特にその中でも５-ＡＬＡは臨床に適し、治療時には最適波長である635nm前後の赤色レーザを照射して治療が行われる。
【０００４】
一方、上記ＰＤＴを行う際には、光増感剤が蓄積された腫瘍組織に青紫色の光を当てて光増感剤を赤色(ピーク波長が約635nm)に蛍光発光させ、それによって腫瘍の形状や大きさを確認するＰＤＤも行われるが、特許文献１のようにＰＤＤ用光源を別に用意するとＰＤＴの前後でしかＰＤＤを行えないため、治療中に腫瘍の確認を行うことができない。
【０００５】
また、従来においては、複数波長のレーザ光を照射可能な医療用レーザ装置も公知となっており、このようなレーザ装置を用いて上記問題を解消することも考えられるが、例えば、特許文献２に記載のレーザ装置では、波長をスイッチでいちいち切り替える必要があるため、切り替え操作に手間がかかりＰＤＴとＰＤＤを効率的に行うことができない。
【０００６】
他方、特許文献３に記載されたレーザ装置では、複数波長のレーザ光を同時に照射することができるが、レーザの照射位置に腫瘍があるかどうかを確認するために腫瘍の赤色蛍光を検出器で検知しようとすると、同時に赤色レーザの反射光まで混入して識別・分離が困難になり、結果的に赤色蛍光の検出精度が低下してしまう問題がある。
【先行技術文献】
【特許文献】
【０００７】
【特許文献１】特開２０１１−１３０７号公報（第１−９頁）
【特許文献２】特開２００１−５３３６８号公報（第１−７頁、第１〜５図）
【特許文献３】特開２００４−２０８９０３号公報（第１−９頁、第１〜６図）
【発明の概要】
【発明が解決しようとする課題】
【０００８】
そこで本発明は、上記の如き問題に鑑みて為されたものであり、その目的とするところは、ＰＤＴ及びＰＤＤを効率的に行うことができ、しかも、ＰＤＴ中における腫瘍組織の確認および光検出器を用いた赤色蛍光の高精度な検出も可能な光線力学診断・治療用の多波長レーザ装置を提供することにある。
【課題を解決するための手段】
【０００９】
本発明者が上記課題を解決するために採用した手段を添付図面を参照して説明すれば次のとおりである。
【００１０】
即ち、本発明は、ピーク波長が395〜415nmのレーザ光Ｌ1を出射可能な第一レーザ発振器11、ピーク波長が625〜645nmのレーザ光Ｌ2を出射可能な第二レーザ発振器12、及びこれらのレーザ光Ｌ1・Ｌ2をパルス化するためのパルス発生器14を少なくとも備えたパルスレーザ光源１と；このパルスレーザ光源１から出射された複数のレーザ光Ｌ1・Ｌ2を一箇所に導く導光光学系２と；この導光光学系２の出力側に一端が固定され、この端部から入射されたレーザ光Ｌ1・Ｌ2を他端側の出射端部へと伝送して、出射端部が向けられた対象物に前記レーザ光Ｌ1・Ｌ2を照射可能な光ファイバケーブル３とを含んでレーザ装置を構成し、
更に、前記パルスレーザ光源１のパルス発生器14には、ピーク波長が395〜415nmのレーザ光Ｌ1と、ピーク波長が625〜645nmのレーザ光Ｌ2とが同時に照射されないように両者のパルス波形を制御して点滅タイミングをずらすパルス制御部を備えた点に特徴がある。
【００１１】
ちなみに、上記「光ファイバケーブル」は、一本の光ファイバから成るものだけでなく複数本の光ファイバを一本のケーブルに纏めたものも含んだ意味で使用する。また、複数本の光ファイバを有する場合には、異なる光ファイバを通して各波長のレーザ光を照射することもできる。
【００１２】
また本発明では、上記レーザ装置において、パルスレーザ光源１にピーク波長が655〜675nmのレーザ光Ｌ3を出射可能な第三レーザ発振器13を含めて２波長の赤色レーザを使用可能とすることにより、二次生成物(クロリンＥ６誘導体)によって励起波長が偏移する５-ＡＬＡの治療効果を向上することができる。
【００１３】
また更に、パルスレーザ光源１において、上記のように第三レーザ発振器13を含める場合には、ピーク波長が655〜675nmのレーザ光Ｌ3を、ピーク波長が625〜645nmのレーザ光Ｌ2と同じ点滅タイミングでパルス化されるようにパルス発生器14を設定して治療効果を一層高めることができる。
【００１４】
また、本発明においては、上記レーザ装置において、パルスレーザ光源１の各レーザ発振器11・12…に半導体レーザ発振器を使用することにより装置の小型化および低コスト化を図ることもできる。
【００１５】
そして、上記のようにパルスレーザ光源１に半導体レーザ発振器を使用する場合には、パルス発生器14を、電気パルス信号を出力するパルス信号源14aと、このパルス信号源14aから受けた電気パルス信号をタイミングの異なる２種類の信号に変換して出力するパルスタイミング補正回路14bと、このパルスタイミング補正回路から出力された電気パルス信号とＬＤ駆動回路15から出力された直流電流とを重畳して各レーザ発振器11・12…にパルス変調電流を出力するパルス変調回路14cとから構成することができる。
【００１６】
他方また、本発明においては、上記パルスレーザ光源１のパルス発生器14に連続発振から100kHzまでの繰り返し周波数の調節機能を付与して腫瘍部に対する赤色レーザの照射光量を調節することができる。また点滅間隔を伸ばしてＰＤＤを行うこともできる。
【発明の効果】
【００１７】
本発明では、ピーク波長が625〜645nmの赤色レーザを照射できるＰＤＴ用のレーザ装置において、レーザ光源にピーク波長が395〜415nmの青紫色レーザを出射可能なレーザ発振器を加えると共に、これら二波長のレーザ光を共通の光ファイバケーブルを通して対象物に照射可能としたことにより、同じレーザ装置を用いてＰＤＴとＰＤＤを効率良く実施することが可能となる。
【００１８】
また本発明では、ＰＤＴ中に腫瘍組織の確認を行うことが可能となるため、腫瘍の形状や大きさを把握しながら赤色レーザを正確に照射することができ、また赤色蛍光の強弱や有無によって赤色レーザの照射が充分でない腫瘍組織の確認も行えるため、照射残しを防止してＰＤＴの治療効果を改善することができる。
【００１９】
しかも、本発明では、上記レーザ光をパルス化して赤色レーザと青紫色レーザが同時に照射されないように点滅タイミングをずらしたことにより、光検出器を用いて腫瘍の赤色蛍光を検知する場合でも、赤色レーザの反射光と赤色蛍光とを容易に識別・分離することができるため、蛍光量を高精度に検出することが可能となる。
【００２０】
したがって、本発明により、治療と診断を効率化できるだけでなく、光検出器を併用した正常組織へのレーザ照射防止機能や、赤色蛍光量のモニタ機能によって治療と診断を同時に実施できる機能性に優れた多波長レーザ装置を提供できることから、本発明の実用的利用価値は頗る高い。
【図面の簡単な説明】
【００２１】
【図１】本発明の実施例１における多波長レーザ装置を表わす装置概略図である。
【図２】本発明の実施例１における多波長レーザ装置を表わす全体斜視図である。
【図３】本発明の実施例１におけるレーザ光のパルス波形を表わすグラフである。
【発明を実施するための形態】
【００２２】
『実施例１』
本発明の実施例１について、図１から図３に基いて説明する。なお同図において、符号１で指示するものは、パルスレーザ光源であり、符号２で指示するものは、導光光学系である。また符号３で指示するものは、光ファイバケーブルである。
【００２３】
[レーザ装置の構成]
まずこの実施例１では、レーザ装置のパルスレーザ光源１に、ピーク波長が約405nmのレーザ光Ｌ1を出射可能な第一レーザ発振器11、ピーク波長が約635nmのレーザ光Ｌ2を出射可能な第二レーザ発振器12、及びピーク波長が約665nmのレーザ光Ｌ3を出射可能な第三レーザ発振器13を使用している(図１参照)。
【００２４】
なお、上記レーザ発振器11・12…から出射されるレーザ光Ｌ1・Ｌ2…のピーク波長については±10nmの範囲(395〜415nm,625〜645nm,655〜675nm)であれば特に問題ない。また本実施例では、上記各レーザ発振器11・12…に、半導体レーザ発振器(ＬＤレーザ)を使用している。
【００２５】
また更に、上記パルスレーザ光源１には、各レーザ光Ｌ1・Ｌ2…をパルス化するためのパルス発生器14を使用している。具体的には、所定の繰り返し周波数・デューティ比の電気パルス信号を出力するパルス信号源14aと、このパルス信号源14aに接続されたパルスタイミング補正回路14bと、このパルスタイミング補正回路14bに接続されたパルス変調回路14c・14c…とから成るパルス発生器14を使用している。
【００２６】
そして、上記パルス発生器14については、パルス信号源14aから受けた電気パルス信号をパルスタイミング補正回路14bでタイミングの異なる２種類の信号に変換して出力し、更にこの電気パルス信号とＬＤ駆動回路15から出力された直流電流とをパルス変調回路14cで重畳して各レーザ発振器11・12…にパルス変調電流を出力するすることにより、レーザ光をパルス化している。
【００２７】
また、上記パルス発生器14のパルスタイミング補正回路14bは、ピーク波長が405nmの青紫色のレーザ光Ｌ1と、ピーク波長が635nm・665nmの赤色のレーザ光Ｌ2・Ｌ3とが同時に照射されないように電気パルス信号のパルス波形を制御するパルス制御部であり、このパルスタイミング補正回路14bによって両者の点滅タイミングずらしている。
【００２８】
そしてまた、上記レーザ発振器11・12…のパルス変調回路14cに接続されたＬＤ駆動回路15・15…については、所定大きさの直流電流をパルス変調回路14cに供給できるように電源部16(電源トランスやＰＳ基板)に接続している。
【００２９】
他方また、上記パルスレーザ光源１の各レーザ発振器11・12…には、励起源の温度を調節するための温度調節器17を配設している。具体的には、温度調節器17にペルチェ素子17aを用いて、これを温度制御を行う温調回路17bに接続すると共に、この温調回路17bをレーザ発振器とは別の電源部16’(スイッチング電源やペルチェ駆動用トランジスタ)に接続して電力を確保している。
【００３０】
一方、上記パルスレーザ光源１に対しては、出射される複数のレーザ光Ｌ1・Ｌ2…を一箇所に導く導光光学系２を接続している。本実施例では、その導光光学系２に、各レーザ発振器11・12…の出力部に接続された光ファイバ(図示せず)と、これらの光ファイバの一端が接続された光合波器21とを使用している。
【００３１】
そして更に、上記導光光学系２の出力側には、光ファイバケーブル３を接続して、導光光学系２から入射したレーザ光Ｌ1・Ｌ2…を出射端部に伝送し、出射端部を向けた対象物にレーザ光Ｌ1・Ｌ2…を照射可能としている。なお本実施例では、光ファイバケーブル３に、一本の光ファイバを外装材で被覆したものを使用している。
【００３２】
また、レーザ装置の構造について説明を加えると、本実施例では上記パルスレーザ光源１のパルスタイミング補正回路14b、パルス変調回路14c、ＬＤ駆動回路15、及び温調回路17bを同一の基板に載せてＬＤドライバ基板Ｂとし、これをレーザ発振器11・12…やペルチェ素子17a、電源部16・16’と共に装置筐体４に収容している。一方、パルス発生器14のパルス信号源14aについては別の装置筐体４’を使用している。
【００３３】
そしてまた、上記ＬＤドライバ基板Ｂについては、装置筐体４のフロントパネル操作部41と接続して、トグルスイッチ41a・41a…でパルスタイミング回路14b、ＬＤ駆動回路15、温調回路17bのon/off操作を可能としている(図２参照)。またこれにより、レーザ光の連続照射とパルス照射の切り替え、使用するレーザ光の選択、および任意の温度調節器17bの起動・停止が可能となる。
【００３４】
また更に、本実施例では上記フロントパネル操作部41の表示器41bで、ＬＤ駆動回路15からパルス変調回路14cに出力される電流の大きさを表示できるようにしており、この電流の大きさは表示器14bの下に配置された回転ダイヤル41cで調節することができる。そしてこれにより、各レーザ光Ｌ1・Ｌ2…の出力(照射光量)を自由に調節することができる。
【００３５】
一方、パルス発生器14のパルス信号源14aについても、装置筐体４’のフロントパネル操作部41と接続して、フロントパネル操作部41の入力ボタン41d・41d…で電気パルス信号の周波数を変更できるようにしている。そしてこれにより、必要に応じてレーザ光Ｌ1・Ｌ2…の点滅間隔を調節することが可能となる。
【００３６】
[レーザ装置を用いた治療方法]
次に、上記レーザ装置を用いたＰＤＴの治療方法について説明する。まず、治療を行う前の準備段階として、パルスレーザ光源１を起動して青紫色レーザ(波長405nmのレーザ光Ｌ1)と赤色レーザ(波長635nm・665nmのレーザ光Ｌ2・Ｌ3)の調節を行う。
【００３７】
なお、マウスを用いた治療試験では、レーザ光Ｌ1・Ｌ2…のパルス波形が図３に示す状態となるようにパルス発生器14を調節した。具体的には、フロントパネル操作部41でパルス信号源14aを調節して、各レーザ光Ｌ1・Ｌ2…の繰り返し周波数が10kHz(１回の繰り返しでかかる時間:100μs)、デューティ比がパルス幅12μs、パルス間隔88μsとなるように調整した。
【００３８】
また、パルス発生器14のパルスタイミング補正回路14bで青紫色レーザ(405nm)と赤色レーザ(635nm・665nm)の点滅タイミングが50μsずれるように設定し、これによって青紫色レーザの出力が終わってから38μs後に赤色レーザが出力されるように調整した。そして、赤色レーザの２波長については、同じ電気パルス信号をパルス変調回路14c・14cに出力することで点滅タイミングを同期させた。
【００３９】
ちなみに、５-ＡＬＡを光増感剤に用いるＰＤＴでは、二次生成物(クロリンＥ６誘導体)が生じて励起波長が偏移するため、治療効果を向上するために二波長(635nm・665nm)の赤色レーザを腫瘍組織に照射することが好ましいが、一波長(635nm)だけを使用する場合でも充分な治療効果を得ることができる。また波長665nmの赤色レーザについては、波長635nmのレーザと別々に照射することもできる。
【００４０】
一方、各レーザ光Ｌ1・Ｌ2…の出力については、正常な組織へのダメージが少ない150mW/cm2程度となるようにＬＤ駆動回路15・15…から出力される電流値を調整した。また温度調節器17についてもフロントパネル操作部41各レーザ光Ｌ1・Ｌ2…が適当な波長で出力されるように所定温度に調整した。
【００４１】
なお、上記レーザ光Ｌ1・Ｌ2…の出力は、ＬＤ駆動回路15・15…から出力される電流の大きさだけでなく、電気パルス信号の繰り返し周波数によっても変わるため、レーザ光の繰り返し周波数を10〜100kHzまたは連続発振(CW)に変更する場合には、それに合わせてＬＤ駆動回路15・15…の出力を調整する必要がある。
【００４２】
そして、上記準備作業を終えた場合には、光ファイバケーブル３のハンドピースを持ってＰＤＴの治療に入るが、まずその前にＰＤＤによる腫瘍組織の確認を行う。具体的に説明すると、フロントパネル操作部41で、赤色レーザの出力を一旦停止して青紫色レーザのみを腫瘍部に照射し、蓄積されたPp-IXの赤色蛍光によって腫瘍組織の位置・大きさ・形状を目視により確認する。
【００４３】
なお、ＰＤＤを行う方法としては、上記の方法だけでなくパルス信号源14aを操作して電気パルス信号の繰り返し周波数を数ヘルツ程度まで下げ、それによって青色レーザと赤色レーザの点滅間隔を伸ばして目視で確認できるようにすることもできる。
【００４４】
そして、上記目視によるＰＤＤを終えた後は、赤色レーザの出力を戻して目視で確認した腫瘍組織に赤色レーザを照射する。なおこの照射中において、光検出器を用いてPp-IXの赤色蛍光を検知することもでき、それによって赤色レーザが正常な組織やPp-IXが少ない組織に照射されていないかを確認することができる。
【００４５】
また、上記のように光検出器を用いてＰＤＤを行う場合には、腫瘍組織の赤色蛍光と赤色レーザの反射光を識別・分離する必要があるが、本実施例のレーザ装置は、青色レーザと赤色レーザの点滅タイミングをずらしているため、簡単なプログラムによって両者を識別・分離することができる。
【００４６】
そしてまた、上記光検出器を用いて得られたデータについては、治療中に蛍光量をモニタで表示すれば術者が治療と診断を同時に行うことができる。また、照射部位から赤色蛍光が検知されない場合にブザー等を鳴らして術者にそれを伝えることもできる。
【００４７】
そして、これ以上のレーザ照射が必要ないと判断した場合には、二波長の赤色レーザの出力を停止して目視によるＰＤＤをもう一度行い、明らかにレーザが照射されていない又は照射が足りない腫瘍組織が残っていないかを最終確認して治療を終了する。
【００４８】
本発明は、概ね上記のように構成されるが、図示の実施形態にのみ限定されるものではなく、「特許請求の範囲」の記載内において種々の変更が可能であって、例えば、パルスレーザ光源１の各レーザ発振器11・12…には、各波長のレーザ光Ｌ1・Ｌ2…を照射できるものであれば半導体レーザ以外の固体レーザや色素レーザ、気体レーザ等を使用することもできる。
【００４９】
また、パルスレーザ光源１のパルス発生器14には、シャッタの開閉によって機械的にレーザ光をパルス化する光シャッタ装置を用いることもできる。またその場合には、パルス制御部の制御プログラムによってシャッターの開閉タイミングをずらして青色レーザと赤色レーザが同時に照射されないように制御することができる。
【００５０】
そしてまた、パルス発生器14のパルス信号源14aについては、ＬＤドライバ基板Ｂやレーザ発振器11・12…等と同じ装置筐体４に収納することもでき、その場合にはレーザ装置全体を一つの装置筐体４から構成することができる。
【００５１】
他方また、導光光学系２についても、光ファイバを用いずにミラーを用いて導光することもでき、また、光ファイバケーブル３が複数の光ファイバから成るものならば、光合波器21を使用せずに各レーザ光Ｌ1・Ｌ2…を共通の光ファイバケーブル３の異なる光ファイバに導光することもできる。
【００５２】
また、各レーザ光Ｌ1・Ｌ2…の出力調整や切り替えを行う操作部を、装置筐体４だけでなく光ファイバケーブル３のハンドピースに設けてもよく、その場合には、治療中に術者が手元のハンドピースでレーザ光の調整や切り替えを迅速に行うことができるため治療をより効率化することができる。
【００５３】
そしてまた、ＰＤＤ時における腫瘍組織の赤色蛍光を検出するための光検出器をレーザ装置と一体化してもよく、その場合には、光ファイバケーブル３を光源の光路としてだけでなく赤色蛍光の検出光路としても利用することができ、何れのものも本発明の技術的範囲に属する。
【産業上の利用可能性】
【００５４】
従来、光線力学療法の治療機器として、医療用アルゴン・色素レーザ、エキシマ色素レーザなどの波長可変(OPO)レーザが用いられてきたが、大型化で高価であるだけなくメンテナンスも非常に大変であったため、医療現場への導入が思うように進まなかった。また従来においては、蛍光診断用レーザと治療用レーザが別装置であったため、診断と治療が別々の日取りで行われ、診断を行う者と治療を行う者が異なる場合もあった。
【００５５】
そのような中で、本発明の光線力学診断・治療用の多波長レーザ装置は、小型かつ安価でメンテナンスも簡単な半導体レーザを光源に用いることができ、しかも、同じ術者が診断と治療を同時に行うことで患者の負担も軽減できる有用な技術であるため、その産業上の利用価値は非常に高い。
【符号の説明】
【００５６】
１  パルスレーザ光源
11  第一レーザ発振器
12  第二レーザ発振器
13  第三レーザ発振器
14  パルス発生器
14a  パルス信号源
14b  パルスタイミング補正回路
14c  パルス変調回路
15  ＬＤ駆動回路
16  電源部
17  温度調節器
17a  ペルチェ素子
17b  温調回路
２  導光光学系
21  光合波器
３  光ファイバケーブル
４  装置筐体
41  フロントパネル操作部
41a  トグルスイッチ
41b  表示器
41c  回転ダイヤル
41b  入力ボタン
Ｌ  レーザ光
Ｂ  ＬＤドライバ基板
【図１】
2012232014.tif 000003
【図２】
2012232014.tif 000004
【図３】
2012232014.tif 000005